(57)【要約】【課題】間取りを容易かつ迅速に変更することができ、設備費や模型の作成費などのコストを低減することができる建築物模型および建築物模型システムを提供する。【解決手段】複数の磁石１７が格子点状に配置された基板１１を有する。基板１１の磁石１７に吸着して基板１１に対して垂直に設置可能に、下面に磁性体１８が設けられ、上面または上向きの傾斜側面１５ａに磁石１７が設けられた土台板１２、外壁板１３、内壁板１４および屋根支持板１５を有する。屋根支持板１５の傾斜側面１５ａの磁石１７に吸着して、屋根支持板１５の上に設置可能に、裏面に磁性体１８が設けられた屋根板材１６を有する。基板１１、外壁板１３、内壁板１４、屋根支持板１５および屋根板材１６には、実際の木造建築物における部材名、設置個所および値段を含む部材情報と、その部材情報が記憶されたバーコードとが記載されたラベル２０が貼り付けられている。【選択図】図４
2010197515.tif 000002
【特許請求の範囲】
【請求項１】
複数の磁石が格子点上に整列して配置された基板と、
板状であって、下面に複数の磁性体または磁石が前記基板の磁石の位置と一致する間隔で離れて配置され、前記基板の磁石に吸着して前記基板に垂直に設置可能な土台・壁等の複数の建築模型部材とを、
有することを特徴とする建築物模型。
【請求項２】
前記建築模型部材は、Ｎ極またはＳ極が上になるよう上面に磁石が設けられた外壁板と、前記外壁板の上面の磁石に横方向から吸着して前記外壁板に対して垂直に接続可能にＳ極およびＮ極を壁面に沿って横方向に配置した磁石が端部に設けられた内壁板とを、有することを特徴とする請求項１記載の建築物模型。
【請求項３】
前記建築模型部材は上面に複数の磁石が間隔をあけて設けられ、下面に複数の磁性体が間隔をあけて設けられていることを、特徴とする請求項２記載の建築物模型。
【請求項４】
前記建築模型部材は横方向に伸縮させて長さ調節可能であることを、特徴とする請求項３記載の建築物模型。
【請求項５】
前記建築模型部材の下面と、前記建築模型部材の前記基板の設置箇所とに一致する色または模様が付してあることを、特徴とする請求項１、２、３または４記載の建築物模型。
【請求項６】
一方に磁石が、他方に磁性体または磁石が設けられ、互いに前記建築模型部材を挟んで磁力により取付可能な１対の窓用シートを有することを、特徴とする請求項１、２、３、４または５記載の建築物模型。
【請求項７】
請求項１、２、３、４、５または６記載の建築物模型を有し、前記建築模型部材に、実際の建築部材名、設置個所および値段を含む部材情報と、前記部材情報が記録されたバーコードとが表示され、
前記バーコードを読み取り可能なバーコードリーダーと、
前記バーコードリーダーで前記バーコードから読み取った前記部材情報を入力し、記憶する記憶部と、
前記記憶部に記憶された前記部材情報の値段を加算する演算部と、
前記記憶部に記憶された前記部材情報と前記演算部で求められた値段の合計とを出力する出力部とを、
有することを特徴とする建築物模型システム。
【請求項８】
前記記憶部は、既に記憶されている前記部材情報の部材名および設置個所と同じ部材名および設置個所を有する部材情報が新たに入力されたとき、既に記憶されている前記部材情報を新たに入力された部材情報に置き換えて記憶するよう構成されていることを、特徴とする請求項７記載の建築物模型システム。
【請求項９】
前記記憶部に記憶された前記部材情報を、実際の建築部材を製造する製造工場に送信する送信手段を有することを、特徴とする請求項７または８記載の建築物模型システム。
【発明の詳細な説明】
【技術分野】
【０００１】
本発明は、建築物模型および建築物模型システムに関する。
【背景技術】
【０００２】
従来の建築物模型の製造方法として、建築設計図のデータに基づいてコンピュータシステムにＮＣ加工装置を駆動制御するための指示命令を作成させ、その指示命令に基づいてＮＣ加工装置により建築物用模型部品を作成し、各建築物用模型部品を組み立わせて建築物模型を完成させるものがある（例えば、特許文献１参照）。
【先行技術文献】
【特許文献】
【０００３】
【特許文献１】特開２００３−１１４６１０号公報
【発明の概要】
【発明が解決しようとする課題】
【０００４】
特許文献１に記載の建築物模型の製造方法によれば、建築物模型を容易に製造することができるが、ＮＣ加工装置などの設備費が嵩むという課題があった。また、模型の間取りを変更することができないため、模型を見ながら設計変更を行うことができないという課題があった。設計の変更があった場合には、建築物用模型部品を始めから作成し直す必要があり、模型の作成費や作成時間がかかるという課題もあった。
【０００５】
本発明は、このような課題に着目してなされたもので、間取りを容易かつ迅速に変更することができ、設備費や模型の作成費などのコストを低減することができる建築物模型および建築物模型システムを提供することを目的とする。
【課題を解決するための手段】
【０００６】
上記目的を達成するために、本発明に係る建築物模型は、複数の磁石が格子点上に整列して配置された基板と、板状であって、下面に複数の磁性体または磁石が前記基板の磁石の位置と一致する間隔で離れて配置され、前記基板の磁石に吸着して前記基板に垂直に設置可能な土台・壁等の複数の建築模型部材とを、有することを特徴とする。
【０００７】
本発明に係る建築物模型は、基板の上に、土台や壁に対応する建築模型部材を、基板に対して垂直に設置していくことにより組み立てることができる。このとき、基板に格子点状に配置された複数の磁石に、各建築模型部材の下面に設けられた磁性体または磁石を吸着させることにより、容易に組み立てることができる。建築模型部材は、下面の複数の磁性体または磁石が基板の磁石の位置と一致する間隔で離れて配置されているので、基板上で磁力で位置決めし、定位置に設置するのが容易である。このように、磁力により基板と各建築模型部材とを吸着させるため、互いに着脱が容易であり、模型の間取りを容易かつ迅速に変更することができる。このため、設計変更があったときでも、迅速かつ柔軟に対応することができる。
【０００８】
模型を変更しながら設計変更を行うことができるため、設計図面を見慣れていない施主等でも模型を見て理解しながら容易に設計変更を行うことができる。あらかじめ基板や建築模型部材などの各部材を作成しておけば、ＮＣ加工装置などの高価な装置が不要であり、部材の作り直しもほとんど必要ないため、設備費や模型の作成費などのコストを低減することができる。磁性体には鉄が適しており、磁石にはネオジウム磁石が適している。
【０００９】
本発明に係る建築物模型では、基板により基礎の底や床、天井、屋根などを構成し、各立上部材により土台や壁などを構成することにより、木造建築物の基本的な構成部材の全てを構成することができる。この場合、天井を透明板とし、下の階に家具などの模型を配置し、その家具模型の上端に磁石を取り付け、天井を通して磁石で階下の家具模型を引き付けて移動させ、所望の位置に配置させるようにしてもよい。
【００１０】
本発明に係る建築物模型で、前記建築模型部材は、Ｎ極またはＳ極が上になるよう上面に磁石が設けられた外壁板と、前記外壁板の上面の磁石に横方向から吸着して前記外壁板に対して垂直に接続可能にＳ極およびＮ極を壁面に沿って横方向に配置した磁石が端部に設けられた内壁板とを、有することが好ましい。この場合、外壁板の上面の磁石に、内壁板の側方側面の上部の磁石を吸着させることにより、外壁板と内壁板とを互いに垂直を成すよう容易に連結することができ、より頑丈な模型を組み立てることができる。
【００１１】
本発明に係る建築物模型で、前記建築模型部材は上面に複数の磁石が間隔をあけて設けられ、下面に複数の磁性体が間隔をあけて設けられていることが好ましい。この場合、建築模型部材の上面の磁石により、建築模型部材の上に基板を吸着させることができ、より頑丈な模型を組み立てることができる。また、建築模型部材の下面に板状の磁性体が設けられているため、基板の磁石の極性を気にすることなく、模型を組み立てることができる。
【００１２】
本発明に係る建築物模型で、前記建築模型部材は横方向に伸縮させて長さ調節可能であることが好ましい。この場合、建築模型部材の幅を微調整して、隙間のない正確な模型を組み立てることができる。
【００１３】
本発明に係る建築物模型は、前記建築模型部材の下面と、前記建築模型部材の前記基板の設置箇所とに一致する色または模様が付してあることが好ましい。この場合、色または模様で判別して、建築模型部材を基板の対応する位置に設置するのが容易である。
【００１４】
本発明に係る建築物模型は、一方に磁石が、他方に磁性体または磁石が設けられ、互いに前記建築模型部材を挟んで磁力により取付可能な１対の窓用シートを有していてもよい。この場合、模型で窓用シートの位置を変えながら、窓の位置を検討することができる。また、あらかじめ異なる大きさの窓用シートを準備しておくことにより、模型で異なる大きさの窓用シートを変えながら、窓の大きさを検討することができる。
【００１５】
本発明に係る建築物模型システムは、本発明に係る建築物模型を有し、前記建築模型部材に、実際の建築部材名、設置個所および値段を含む部材情報と、前記部材情報が記録されたバーコードとが表示され、前記バーコードを読み取り可能なバーコードリーダーと、前記バーコードリーダーで前記バーコードから読み取った前記部材情報を入力し、記憶する記憶部と、前記記憶部に記憶された前記部材情報の値段を加算する演算部と、前記記憶部に記憶された前記部材情報と前記演算部で求められた値段の合計とを出力する出力部とを、有することを特徴とする。
【００１６】
本発明に係る建築物模型システムは、組み立てた模型で使用した各部材のバーコードをバーコードリーダーで読み取ることにより、その模型に対応する実際の木造建築物で使用する部材や部材の価格を特定することができる。また、演算部により、実際の木造建築物で発生する材料費を容易に計算することができる。バーコードリーダーで読み取って記憶部に記憶された部材情報を利用することにより、設計図面の作成や部材の発注を容易に行うことができる。
【００１７】
本発明に係る建築物模型システムで、前記記憶部は、既に記憶されている前記部材情報の部材名および設置個所と同じ部材名および設置個所を有する部材情報が新たに入力されたとき、既に記憶されている前記部材情報を新たに入力された部材情報に置き換えて記憶するよう構成されていることが好ましい。この場合、設計変更などにより使用する部材が変更されたときでも、使用しない部材の価格を加算したり、使用しない部材を誤って発注したりするのを防ぐことができる。
【００１８】
本発明に係る建築物模型システムは、前記記憶部に記憶された前記部材情報を、実際の建築部材を製造する製造工場に送信する送信手段を有することが好ましい。この場合、使用する部材が確定した段階で、製造工場に直接、迅速かつ正確に各部材の製造発注を行うことができる。
【発明の効果】
【００１９】
本発明によれば、間取りを容易かつ迅速に変更することができ、設備費や模型の作成費などのコストを低減することができる建築物模型および建築物模型システムを提供することができる。
【図面の簡単な説明】
【００２０】
【図１】本発明の実施の形態の建築物模型および建築物模型システムの基板を示す平面図である。
【図２】本発明の実施の形態の建築物模型および建築物模型システムの建築模型部材の（ａ）土台板、（ｂ）外壁板、（ｃ）内壁板、（ｄ）屋根支持板を示す正面図である。
【図３】本発明の実施の形態の建築物模型および建築物模型システムの屋根板材を示正面図である。
【図４】本発明の実施の形態の建築物模型を示す分解斜視図である。
【図５】本発明の実施の形態の建築物模型の各土台板、各外壁板および各内壁板の変形例を示す断面図である。
【図６】本発明の実施の形態の建築物模型の窓用シートを有する変形例を示す（ａ）正面図、（ｂ）平面図である。
【発明を実施するための形態】
【００２１】
以下、図面に基づき、本発明の実施の形態について説明する。
図１乃至図６は、本発明の実施の形態の建築物模型および建築物模型システムを示している。
図１乃至図４に示すように、本発明の実施の形態の建築物模型システムは、木造建築物用の建築物模型１０とラベル２０とバーコードリーダー（図示せず）とデータ処理装置（図示せず）とを有している。
【００２２】
図１乃至図３に示すように、建築物模型１０は、それぞれ複数の基板１１と土台板１２と外壁板１３と内壁板１４と屋根支持板１５と屋根板材１６とを有している。図１に示すように、各基板１１は、矩形板形状を成し、複数の磁石１７が所定の間隔で格子点状に埋め込まれている。各基板１１は、基礎の底や床、天井を構成するようになっている。各基板１１の各磁石１７は、Ｎ極が上になるよう設けられている。土台板１２と外壁板１３と内壁板１４の下面と、各部材の基板１１の設置箇所とには、それぞれ別々の一致する色が付してある。このため、色で判別して、各部材を基板１１の対応する位置に設置するのが容易になっている。
【００２３】
図２（ａ）に示すように、各土台板１２は、矩形板形状を成し、基礎の土台を構成するようになっている。図２（ｂ）に示すように、各外壁板１３は、矩形板に窓やドア等に対応する開口部１３ａを設けて形成されており、外壁を構成するようになっている。図２（ｃ）に示すように、各内壁板１４は、矩形板に扉等に対応する開口部１４ａを設けて形成されており、間仕切りなどの内壁を構成するようになっている。図２（ｄ）に示すように、各屋根支持板１５は、両側部から上方に向かって傾斜する傾斜側面１５ａを有する三角板に、窓等の開口部１５ｂを設けて形成されており、小屋裏の屋根支持部材や外壁を構成するようになっている。
【００２４】
図２（ａ）および（ｂ）に示すように、各土台板１２および各外壁板１３は、上面に複数の磁石１７が埋め込まれ、下面に複数の板状の磁性体１８が埋め込まれている。また、図２（ｃ）に示すように、各内壁板１４は、上面に１つまたは複数の磁石１７が埋め込まれ、両側の側方側面の上部にも磁石１７が埋め込まれ、下面に複数の板状の磁性体１８が埋め込まれている。図２（ｄ）に示すように、各屋根支持板１５は、傾斜側面１５ａに複数の磁石１７が埋め込まれ、下面に複数の板状の磁性体１８が埋め込まれている。各土台板１２、各外壁板１３、各内壁板１４および各屋根支持板１５の各磁石１７および各磁性体１８は、基板１１の磁石１７の間隔の整数倍の間隔をあけて設けられ、上面の各磁石１７はＮ極が上になるよう、側方側面の各磁石１７はＮ極が側方外側に向くよう設けられている。
【００２５】
図４に示すように、各土台板１２、各外壁板１３、各内壁板１４および各屋根支持板１５は、下面の磁性体１８を基板１１の磁石１７に吸着させることにより、基板１１に対して垂直に設置可能になっている。また、各内壁板１４は、側方側面の磁石１７を各外壁板１３の上面の磁石１７に吸着させることにより、外壁板１３に対して垂直に設置可能になっている。なお、各土台板１２、各外壁板１３、各内壁板１４および各屋根支持板１５は、建築模型部材を構成している。
【００２６】
図３に示すように、各屋根板材１６は、矩形板形状を成し、屋根板を構成するようになっている。各屋根板材１６は、裏面の長さ方向の中心線に沿って、複数の磁性体１８が埋め込まれている。各屋根板材１６の各磁性体１８は、各屋根支持板１５の傾斜側面１５ａに埋め込まれた磁石１７の間隔で設けられている。図４に示すように、各屋根板材１６は、裏面の磁性体１８を各屋根支持板１５の傾斜側面１５ａの磁石１７に吸着させることにより、各屋根支持板１５の上に各屋根支持板１５に対して垂直に設置可能になっている。
【００２７】
なお、具体的な一例では、各土台板１２、各外壁板１３、各内壁板１４、各屋根支持板１５および各屋根板材１６の各磁性体１８は、鉄製である。また、基板１１、建築模型部材および屋根板材１６は、柱材や欄間、野地板など、更に細かい部材に分割されていてもよい。また、様々な種類の建築物に対応できるよう、様々な形状で形成されていてもよい。
【００２８】
図１乃至図３に示すように、ラベル２０は、建築物模型１０の基板１１、各外壁板１３、各内壁板１４、各屋根支持板１５および各屋根板材１６の各板材に貼付されている。ラベル２０は、実際の木造建築物における各板材の部材名、設置個所および値段を含む部材情報と、その部材情報が記録されたバーコードとが記載されている。バーコードリーダーは、ラベル２０に記載されたバーコードを読み取り可能になっている。
【００２９】
データ処理装置は、コンピュータから成り、バーコードリーダーと接続されている。また、データ処理装置は、ネットワークにより、実際の木造建築物の各部材を製造する製造工場に接続されいる。データ処理装置は、記憶部と演算部と出力部と送信手段とを有している。
【００３０】
記憶部は、バーコードリーダーで読み取ったバーコードに記録された部材情報を入力し、記憶するようになっている。また、記憶部は、既に記憶されている部材情報の部材名および設置個所と同じ部材名および設置個所を有する部材情報が新たに入力されたとき、既に記憶されている部材情報を新たに入力された部材情報に置き換えて記憶するよう構成されている。演算部は、記憶部に記憶された部材情報の値段を加算して出力するようになっている。出力部は、記憶部に記憶された部材情報と演算部で求められた値段の合計とを出力するモニタとプリンタとを有している。送信手段は、記憶部に記憶された部材情報を、製造工場に送信するようになっている。
【００３１】
次に、作用について説明する。
図４に示すように、建築物模型１０は、基板１１の上に、各土台板１２や各外壁板１３、各内壁板１４、各屋根支持板１５を、基板１１に対して垂直に設置していくことにより組み立てることができる。このとき、基板１１に格子点状に配置された複数の磁石１７に、各土台板１２、各外壁板１３、各内壁板１４および各屋根支持板１５の下面に設けられた磁性体１８を吸着させることにより、容易に組み立てることができる。各土台板１２、各外壁板１３、各内壁板１４および各屋根支持板１５は、下面の複数の磁性体１８が基板１１の磁石１７の位置と一致する間隔で離れて配置されているので、基板１１上で磁力で位置決めし、定位置に設置するのが容易である。また、各屋根板材１６の磁性体１８を各屋根支持板１５の傾斜側面１５ａの磁石１７に吸着させて、各屋根支持板１５の上に各屋根板材１６を設置することにより、屋根の部分も容易に組み立てることができる。
【００３２】
各土台板１２、各外壁板１３および各内壁板１４の上面の各磁石１７は上がＮ極であり、各基板１１の各磁石１７は下がＳ極になっているため、各土台板１２、各外壁板１３および各内壁板１４の上に各基板１１を吸着させることができ、複数階の頑丈な模型を組み立てることができる。
【００３３】
このように、磁力により、基板１１と各土台板１２、各外壁板１３、各内壁板１４および各屋根支持板１５とを吸着させ、各屋根支持板１５と各屋根板材１６とを吸着させるため、互いに着脱が容易であり、模型の間取りを容易かつ迅速に変更することができる。このため、設計変更があったときでも、迅速かつ柔軟に対応することができる。
【００３４】
模型を変更しながら設計変更を行うことができるため、設計図面を見慣れていない施主等でも模型を見て理解しながら容易に設計変更を行うことができる。あらかじめ基板１１や各土台板１２、各外壁板１３、各内壁板１４、各屋根支持板１５、各屋根板材１６の各部材を作成しておけば、ＮＣ加工装置などの高価な装置が不要であり、部材の作り直しもほとんど必要ないため、設備費や模型の作成費などのコストを低減することができる。
【００３５】
この建築物模型システムは、組み立てた建築物模型１０で使用した各部材のバーコードをバーコードリーダーで読み取ることにより、その建築物模型１０に対応する実際の木造建築物で使用する部材や部材の価格を決定することができる。また、演算部により、実際の木造建築物で発生する材料費を容易に計算することができる。
【００３６】
記憶部の記憶が常に新しい部材情報に書き換えられるため、設計変更などにより使用する部材が変更されたときでも、使用しない部材の価格を加算したり、使用しない部材を誤って発注したりするのを防ぐことができる。記憶部に記憶された部材情報を利用することにより、設計図面の作成を容易に行うことができる。また、使用する部材が確定した段階で、ネットワークを介して製造工場に直接、迅速かつ正確に各部材の製造発注を行うことができる。製造工場は、山林の近くに設置することが好ましい。
【００３７】
この地産一貫集約のシステムにより、住宅を著しく低コストかつ短期間で建てることができる。山林の近くの工場場で直接、建築部材を製造することにより、国産材の使用が徹底され、原産地が明確になる。また、資金が原産地に多く戻るため、山林の維持管理が容易となり、持続可能な国産材使用の体制が構築できる。さらに、山林が多い地方経済を活性化させることができる。
また、各建築部材は、中古品として流通させることができ、移築が容易な住宅を提供することができる。
【００３８】
なお、図５に示すように、各土台板１２、各外壁板１３および各内壁板１４は、縦方向に細長く、断面がＨ型の基準部材５１と、一方の側部が基準部材５１の両側の開口５１ａに挿入され、基準部材５１に対して横方向にスライド可能に設けられた一対の板部材５２とを有し、横方向の長さをスライド調節可能に設けられていてもよい。この場合、各土台板１２、各外壁板１３および各内壁板１４の幅を微調整して、隙間のない正確な模型を組み立てることができる
【００３９】
また、図６に示すように、磁力により各外壁板１３、各内壁板１４および各屋根支持板１５を挟んで取付可能に、磁石１７が設けられた１対の窓用シート６１を有していてもよい。この場合、各外壁板１３、各内壁板１４および各屋根支持板１５に窓に対応する開口部１３ａ，１４ａ，１５ｂを設ける必要がなく、模型で窓用シート６１の位置を変えながら、窓の位置を検討することができる。また、あらかじめ異なる大きさの窓用シート６１を準備しておくことにより、模型で異なる大きさの窓用シート６１を変えながら、窓の大きさを検討することができる。
【符号の説明】
【００４０】
１０  建築物模型
１１  基板
１２  土台板
１３  外壁板
１４  内壁板
１５  屋根支持板
１６  屋根板材
１７  磁石
１８  磁性体
２０  ラベル
【図１】
2010197515.tif 000003
【図２】
2010197515.tif 000004
【図３】
2010197515.tif 000005
【図４】
2010197515.tif 000006
【図５】
2010197515.tif 000007
【図６】
2010197515.tif 000008